(57)【要約】【課題】金型に射出ノズルをノズルタッチさせないで計量を行う場合、超底粘度樹脂や高粘度樹脂であっても、溶融樹脂の鼻たれ現象を防止して溶融樹脂の計量を確実に行わせ、異常な計量の警告、停止を適切に行う。【解決手段】電動射出成形機Ａの可塑化能力にもとづいて定めた射出スクリュ３の設定回転速度に対応する標準後退速度を制御装置１０に設定しておき、計量時に、射出スクリュ３の後退速度をアブソリュートエンコーダ（位置検出手段）９ａで検出して、その検出値が射出スクリュ３の設定回転速度に対応する標準後退速度を上まわった場合に、警告メッセージを発生、計量動作の停止を行い、標準後退速度を下まわった場合に、射出スクリュ３の背圧の設定値をコントローラ１４により自動的に変更し、その変更回数が予め設定した回数になったとき、計量動作を停止させる。【選択図】        図１
2004188798.tif 000002
【特許請求の範囲】
【請求項１】
加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、
予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を上まわった場合に、警告メッセージの発生および計量動作の停止の少なくとも一方を行うことを特徴とする射出成形機の計量方法。
【請求項２】
加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、
予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材の背圧の設定値を自動的に変更することを特徴とする射出成形機の計量方法。
【請求項３】
前記射出部材の背圧の設定値を変更する変更回数が予め設定した回数になったとき、計量動作を停止させることを特徴とする請求項２に記載の射出成形機の計量方法。
【請求項４】
加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、
予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材を強制的に計量完了位置に後退させた後に、前記射出部材の背圧を監視しながら可塑化スクリュを回転させ、該背圧が前記設定値になったときに計量動作を停止させることを特徴とする射出成形機の計量方法。
【発明の詳細な説明】
【０００１】
【発明の属する技術分野】
本発明は、射出成形機の射出装置における加熱筒内の先端部に溶融樹脂を供給して計量する計量方法に関するものである。
【０００２】
【従来の技術】
従来、射出成形機で金型にノズルタッチをせずに計量を行う場合は、射出スクリュを最低に設定した背圧を付加した状態で回転させ、加熱筒の基端部に導入される樹脂材料を可塑化して加熱筒の先端部の樹脂溜まり部に溶融樹脂を供給し、この溶融樹脂の樹脂圧で後退する射出スクリュが後退端の計量完了位置に達すると、前記射出スクリュの回転を停止し、必要に応じて前記計量完了位置から更に所定距離だけ後退して樹脂溜まり部の樹脂圧を低下させるサックバックを自動的に行っている。
しかし、このように、金型にノズルタッチをせずに計量を行う射出成形機における計量方法では、超低粘度樹脂の場合には、機械に定められた最低の設定背圧でも、開放されている射出ノズルの開口部から溶融樹脂が流出する所謂鼻たれ現象が生じるために、前記射出スクリュを計量完了位置まで後退させて計量を完了させることができない不都合が起こる。また、高粘度樹脂の場合には、加熱筒を加熱するヒータの温度設定を低くすると、前記最低の設定背圧では、樹脂材料と加熱筒との摩擦が大きく、樹脂材料が可塑化しない状態で射出スクリュが計量完了位置まで後退してしまい、計量動作が正常に行えないという不具合が発生する問題がある。
【０００３】
そこで、常に、正常な計量動作を確保し、樹脂材料の可塑化不足による成形不良の発生を防止するため、予め、計量時における射出スクリュの後退速度に対する上、下限値を設定すると共に、計量中に射出スクリュの後退速度を検出し、該後退速度が前記上、下限値を外れた際に、射出スクリュの回転を設定時間だけ停止させ、その後射出スクリュを再開転させ、あるいは、予め、計量時間に対する上、下限値を設定すると共に、計量時に計量時間を検出し、該計量時間が前記上、下限値を外れた際に、射出スクリュの回転を設定時間だけ停止させ、その後射出スクリュを再回転させることにより目標の計量位置まで後退させて計量を終了させる計量方法が提案されている（例えば、特許文献１参照）。
【０００４】
【特許文献１】
特開平１０−２４４６８号公報
【０００５】
【発明が解決しようとする課題】
しかしながら、上記提案の計量方法では、成形の中断を起こさせないことを前提にしており、所定条件の計量動作を繰り返すことによって樹脂材料の可塑化が進み、溶融樹脂の樹脂圧で射出スクリュが計量完了位置に後退して計量が正常に終了する場合に適用し得るものであるが、金型に射出ノズルをノズルタッチをさせずに、超低粘度樹脂や高粘度樹脂を計量する場合に、射出ノズルを計量完了位置まで後退移動させることができない異常な状態が生じた際、その異常状態を検出して、それに対応して適切に計量動作の継続、または停止を行わせることができない問題点がある。
【０００６】
本発明は、上記事情に鑑みてなされたものであって、金型に射出ノズルをノズルタッチさせないで計量を行う場合、超底粘度樹脂や高粘度樹脂であっても、溶融樹脂の鼻たれ現象を防止して溶融樹脂の計量を確実に行わせ、樹脂材料の非可塑化現象等による計量不可の異常時には、異常計量動作の警告、停止を適切に行える射出成形機の計量方法を提供することを目的とする。
【０００７】
【課題を解決するための手段】
本発明は、前記課題を解決するために、以下の点を特徴としている。
すなわち、請求項１に係る射出成形機の計量方法は、加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を上まわった場合に、警告メッセージの発生および計量動作の停止の少なくとも一方を行うことを特徴としている。
【０００８】
請求項２に係る射出成形機の計量方法は、加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材の背圧の設定値を自動的に変更することを特徴としている。
【０００９】
請求項３に係る射出成形機の計量方法は、請求項２に記載の計量方法において、前記射出部材の背圧の設定値を変更する変更回数が予め設定した回数になったとき、計量動作を停止させることを特徴としている。
【００１０】
請求項４に係る射出成形機の計量方法は、加熱筒の射出ノズルを金型に接触させない状態で、可塑化スクリュを回転させて樹脂材料を可塑化して前記加熱筒の樹脂溜まり部内に溶融樹脂を供給し、該溶融樹脂に所定設定値の背圧を付加しながら加熱筒内を後退する射出部材の後退位置にもとづいて前記樹脂溜まり部内の溶融樹脂を計量する射出成形機の計量方法において、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材を強制的に計量完了位置に後退させた後に、前記射出部材の背圧を監視しながら可塑化スクリュを回転させ、該背圧が前記設定値になったときに計量動作を停止させることを特徴としている。
【００１１】
【発明の実施の形態】
以下、本発明に係る射出成形機の計量方法を実施する計量装置について図１を参照して説明する。図１において、１は電動式射出成形機（射出成形機）Ａにおける計量装置である。前記計量装置１は、加熱筒２と、該加熱筒２の内部に軸方向に移動自在にかつ周方向に回転自在に挿入された射出スクリュ（可塑化スクリュ、射出部材）３と、可動台４に固定されており、前記射出スクリュ３の基端部と連結されて該射出スクリュ３を回転させるスクリュ回転用電動サーボモータ（スクリュ回転モータ）５と、前記可動台４に設けたナット６にねじ軸７を螺合させてなるねじ機構８の該ねじ軸７に連結されて可動台４を図１で左右に移動させ、前記射出スクリュ３を軸方向に前後進移動させるスクリュ前後進用電動サーボモータ（射出駆動手段）９と、前記スクリュ回転用電動サーボモータ５と前記スクリュ前後進用電動サーボモータ９を作動させる制御装置１０とを備えている。
【００１２】
そして、前記計量装置１は、電動射出成形機Ａの固定盤１１に固定した固定金型Ｋ１と可動盤１２に固定した可動金型Ｋ２とが当接されて型締めされ状態の金型Ｋに、前記加熱筒２の先端の射出ノズル２ａが接触しない（ノズルタッチをしない）状態で、前記スクリュ回転用電動サーボモータ５を回転させることにより、前記加熱筒２の基端部側のホッパ２ｂから加熱筒２内に導入される樹脂材料が可塑化され、溶融樹脂が加熱筒２の先端部の樹脂溜まり部２ｃ内に供給される。その際、スクリュ前後進用電動サーボモータ９を回転させることにより、前記ねじ機構８を介して可動台４が移動され、前記樹脂溜まり部２ｃ内に供給される溶融樹脂に対し後退移動する射出スクリュ３を介して背圧が付加され、該射出スクリュ３がその後退端の計量完了位置に到達して樹脂溜まり部２ｃ内への溶融樹脂の計量が完了されるようになっている。
【００１３】
なお、前記スクリュ回転用電動サーボモータ５にはインクレメントエンコーダ（回転速度検出手段）５ａが設けられ、また、前記スクリュ前後進用電動サーボモータ９にはアブソリュートエンコーダ（位置検出手段）９ａが設けられ、さらに、射出スクリュ３の基端部とスクリュ回転用電動サーボモータ５との連結部または前記可動台４に対する前記ナット６の装着部等には、射出スクリュ１４に作用する押圧力（荷重）を前記計量される溶融樹脂の背圧として検出する圧力センサー（圧力検出手段）１３が設けられている。前記圧力センサー１３は、前記樹脂溜まり部２ｃ内の溶融樹脂を直接に検出するものであってもよい。
【００１４】
また、前記制御装置１０は、前記計量装置１を含む電動射出成形機Ａの全体の動作を制御するコントローラ（動作制御手段）１４と、各種の指示項目や設定数値を入力し、入力された設定値に基づいて所要の演算処理等を行い、かつ各種データを表示する入力処理手段１５と、サーボアンプを有し、前記コントローラ１４からの動作指令にもとづいて動作して前記スクリュ回転用電動サーボモータ５を作動させると共に、前記インクレメントエンコーダ５ａで検出されるスクリュ回転速度信号（可塑化スクリュ回転速度信号）ｆを前記コントローラ１４に供給するスクリュ回転制御駆動装置１６と、サーボアンプを有し、前記コントローラ１４からの動作指令にもとづいて動作して前記スクリュ前後進用電動サーボモータ９を作動させると共に、前記アブソリュートエンコーダ９ａで検出されるスクリュ位置信号（射出部材位置信号）ｐと前記圧力センサー１１で検出される圧力信号ｋとを前記コントローラ１４に供給するスクリュ前後進制御駆動装置１７とを備えている。
【００１５】
なお、前記スクリュ回転制御駆動装置１６は、前記インクレメントエンコーダ５ａで検出されるスクリュ回転速度信号ｆにもとづいて、前記スクリュ回転用電動サーボモータ５の回転速度、すなわち射出スクリュ３の回転速度をフィードバック制御するようになっている。また、前記スクリュ前後進制御駆動装置１７は、前記アブソリュートエンコーダ９ａで検出されるスクリュ位置信号ｐと圧力センサー１３で検出される圧力信号ｋにもとづいて、スクリュ前後進用電動サーボモータ９の回転量（回転位置）と回転力（駆動トルク）、すなわち、射出スクリュ３の前後進位置、前後進速度および射出圧、背圧をフィードバック制御するようになっている。
【００１６】
前記入力処理手段１５は、前記電動射出成形機Ａを操作するための各種操作スイッチと、前記射出スクリュ３の前後進の移動速度を設定する速度設定器と、射出スクリュ３に作用する射出圧、背圧を設定する圧力設定器と、射出スクリュ３の前後進移動速度の切換位置、溶融樹脂の計量完了時における後退端位置（計量完了位置）等を設定する位置設定器と、前記射出スクリュ３の回転速度を設定する回転速度設定器と、射出スクリュ３の背圧を変更する回転の上限値を設定する背圧変更回数設定器と、機械の要目や成形に使用する樹脂材料の特性値を入力する要目設定器と、各種データを表示し、計量装置１の異常動作を機械のオペレータに警報、警告メッセージ等によって知らせる警告を発生する表示器と、前記要目設定器で入力された機械の各種要目に関する指示データと前記回転速度設定器に設定された計量時の射出スクリュ３の回転速度設定値とから、計量時の射出スクリュ３の標準後退速度等を演算する演算部とを備えている。
【００１７】
前記コントローラ１４は、前記電動射出成形機Ａの全体の動作を制御するシーケンスプログラム、前記入力処理手段１３において前記各設定器で設定された各種設定値（電動射出成形機Ａの成形条件）や前記演算部での演算によって得られた標準後退速度等を記憶するメモリと、該メモリに記憶されている設定値や前記インクレメントエンコーダ５ａ、アブソリュートエンコーダ９ａおよび圧力センサー１３の検出値にもとづいて、所要の演算、比較処理等を行って電動射出成形機１を動作させるための種々の制御データを作成し、該制御データを前記スクリュ回転制御駆動装置１６とスクリュ前後進御駆動装置１７に出力すると共に、前記入力処理手段１５の表示器に所要の表示項目を出力する動作制御手段とを備えている。
【００１８】
次に、前記構成の電動射出成形機Ａにおける計量装置１の作用と共に、該計量装置１による溶融樹脂の計量方法について、図２、図３をも参照して説明する。前記電動射出成形機Ａによる成形作業を開始するに先立ち、使用する電動射出成形機Ａの最大可塑化能力Ｃｈｍａｘ（ｋｇ／ｈ）、計量時の射出スクリュ３の最高回転数Ｒｍａｘ（ｍｉｎ−１）、射出スクリュ３の直径Ｄ（ｃｍ）、成形に使用する樹脂材料の密度ρ（ｋｇ／ｌ）等を前記入力処理手段１５の要目設定器に入力すると共に、計量時の射出スクリュ３の設定回転速度Ｒｓｖ（ｍｉｎ−１）を前記入力処理手段１５の回転速度設定器に入力すると共に、前記入力処理手段１５の位置設定器、圧力設定器および背圧変更回数設定器に、それぞれ、射出スクリュ３の計量完了位置、計量時の背圧および該背圧の設定値の上限変更回数を入力設定し、その他の設定器にも所要のデータを入力設定する（ステップＳ１）。前記最大可塑化能力Ｃｈｍａｘは、実験または前記加熱筒２、射出スクリュ３等に関する設計数値にもとづいて計算により求めることができる。
【００１９】
そして、前記入力処理手段１５においては、前記要目設定器に入力された各要目Ｃｈｍａｘ、Ｒｍａｘ、Ｄ、ρのもとづいて、演算部で次の演算式によって射出スクリュ３の計量時における設定回転速度に対応する標準後退速度Ｖｒが計算されると共に、他の各設定器に入力された設定値にもとづいて、コントローラ１４において使用する比較データが作成され（ステップＳ２）、それらの標準後退速度Ｖｒと比較データが前記コントローラ１４のメモリに記憶されると共に、各設定器で設定された設定値のうちで所要のものが選択されて入力処理手段１５の表示器に表示される。
【００２０】
【数１】
2004188798.tif 000003
【００２１】
なお、前記入力処理手段１５の表示器には、計量装置１の計量動作時に、前記インクレメントエンコーダ５ａ、アブソリュートエンコーダ９ａおよび圧力センサー１３によって検出されたスクリュ回転速度信号ｆ、スクリュ位置信号ｐおよび圧力信号ｋにもとづいて、前記射出スクリュ３の回転速度、前後進移動速度と前後進移動位置、および背圧の各現在値等が表示される（ステップＳ３）。
【００２２】
前記入力処理手段１５における設定作業が終了すると、入力処理手段１５の操作スイッチを操作して電動射出成形機Ａの計量装置１による成形動作を開始させる。前記成形動作が開始されると、前記制御装置１０のコントローラ１４のメモリに記憶されているシーケンスプログラムに従って成形動作が実行され、コントローラ１４の指令によりスクリュ回転制御駆動装置１６とスクリュ前後進制御駆動装置１７を介して前記スクリュ回転用電動サーボモータ５とスクリュ前後進用電動サーボモータ９がそれぞれ回転されて、射出スクリュ３とねじ軸７がそれぞれ回転される。前記射出スクリュ３の回転によってホッパ２ｂから加熱筒２内に導入された樹脂材料が可塑化して溶融され、加熱筒２の樹脂溜まり部２ｃ内に供給されて計量される計量動作が開始される（ステップＳ４）。このとき、該樹脂溜まり部２ｃ内に供給される溶融樹脂の樹脂で押圧されて後退される射出スクリュ３に、前記ねじ軸１７の回転でねじ機構２２によって移動される可動台４と前記スクリュ回転用電動サーボモータ５とを介して押圧力を加えることにより、前記樹脂溜まり部２ｃ内の溶融樹脂に前記入力処理手段１４の圧力設定器で設定された所定の背圧が付加される。
【００２３】
前記計量動作中は、射出スクリュ３の後退移動位置が前記アブソリュートエンコーダ９ａで検出され、そのスクリュ位置信号ｐがスクリュ前後進制御駆動装置１７を経て前記コントローラ１４に送られ、該コントローラ１４において前記入力処理手段１５で設定された計量完了位置に前記射出スクリュ３が到達したか否かが比較、判断され（ステップＳ５）、射出スクリュ３が計量完了位置に到達した場合は、所定設定値の背圧で加熱筒２の樹脂溜まり部２ｃ内に溶融樹脂が正常に計量されたものとして、スクリュ回転制御駆動装置１６とスクリュ前後進制御駆動装置１７からの指令信号ｉ１，ｉ２で前記スクリュ回転用電動サーボモータ５とスクリュ前後進用電動サーボモータ９が停止されることにより、射出スクリュ３の回転と後退移動が停止して計量動作が停止される（ステップＳ６）。
【００２４】
前記ステップＳ５において、前記射出スクリュ３が設定された計量完了位置に到達しない場合は、前記アブソリュートエンコーダ９ａからのスクリュ位置信号ｐにもとづいてスクリュ前後進制御駆動装置１７で演算した射出スクリュ３の後退速度の現在値が、コントローラ１４において前記入力処理手段１５で演算してコントローラ１４のメモリに記憶されている標準後退速度Ｖｒの設定値と比較され（ステップＳ７）、その比較結果において、前記後退速度の現在値が標準後退速度Ｖｒの設定値より著しく上まわったと判断された場合（ステップＳ８）は、前記入力処理手段１５の表示器に可塑化エラーの警報を発生させ、または警告メッセージを表示する（ステップＳ９）と共に、計量動作が停止される（ステップＳ６）。この場合は、樹脂材料が高粘度樹脂であって、射出スクリュ３の設定背圧や加熱筒２の設定温度では、樹脂と加熱筒２の内壁との摩擦が大きい等の要因により、十分に樹脂の可塑化が進まないか可塑化が行われない状態で射出スクリュ３が早く後退し、計量動作が異常に行われたものと判断することができる。そこで、警告メッセージには、オペレータが独自の経験から定めた適正な計量条件を設定することや加熱筒２の設定加熱温度を上げることを求める案内を含めることができる。
【００２５】
前記ステップＳ７における比較結果において、前記射出スクリュ３の後退速度の現在値が標準後退速度Ｖｒの設定値より著しく下まわっていると判断された場合（ステップＳ１０）は、前記コントローラ１４が、前記入力処理手段１５の圧力設定器で設定した背圧設定値を、前記圧力センサー１３で検出される背圧の現在値に僅少な圧力値を加算または減算して得た圧力値に置き換えて設定背圧値を下げる変更を行い（ステップＳ１１）、その背圧設定値の変更回数が前記入力処理手段１４の背圧変更回数設定器で設定した設定変更回数に到達したか否かが判断され（ステップＳ１２）、変更回数が設定変更回数に到達しないときは、変更された背圧設定値で射出スクリュ３の回転が継続され、前記ステップＳ５に戻ってステップＳ５からステップＳ１２までの動作が繰り返される。
【００２６】
そして、前記ステップＳ１２において背圧設定値の変更回数が設定変更回数に到達したときは、ステップＳ６に移って計量動作が停止される。その際、入力処理手段１５の表示器にステップＳ９におけると同様に警告メッセージを発生させてもよい。この場合は、樹脂材料が低粘度樹脂であって、繰り返し背圧設定値を下げる変更を行っても、溶融樹脂が射出ノズル２ａから外部へ漏れ出てしまい、射出スクリュ３が計量完了位置に到達しないで溶融樹脂の計量ができない異常な状態が生じていると判断される。また、前記ステップＳ１２で、設定変更回数に到達しない場合、背圧設定値を変更したことにより、その変更した背圧設定値による計量動作を行った結果、ステップＳ５で射出スクリュ３が設定された計量完了位置に到達したときは、計量が正常に行われたものとしてステップＳ６に進んで計量動作が停止される。
さらに、前記ステップＳ７における比較結果において、前記射出スクリュ３の後退速度の現在値が標準後退速度Ｖｒの設定値と略等しいと判断された場合（ステップＳ１３）は、前記ステップＳ５に戻って射出スクリュ３の後退位置が入力処理手段１５の位置設定器で設定された計量完了位置に到達したことを確認された後に、ステップＳ６に進んで溶融樹脂の計量が前記入力処理手段１４で設定した背圧設定値で正常に行われたものとして計量動作が停止される。
【００２７】
前記ステップＳ７における比較結果において、前記射出スクリュ３の後退速度の現在値が標準後退速度Ｖｒの設定値より著しく下まわっていると判断された場合（ステップＳ１０）は、図３に示すように、前記計量方法とは別の計量方法を行うことができる。
すなわち、前記後退速度の現在値が標準後退速度Ｖｒの設定値より著しく下まわっていると判断されると、コントローラ１４が射出スクリュ３を前記標準後退速度を、例えば、その１／２の速度に設定して前記スクリュ前後進制御駆動装置１７を動作させることにより、前記入力処理手段１４で設定した背圧設定値に関係なく、射出スクリュ３が強制的に後退され（ステップＳ１４）、射出スクリュ３が計量完了位置に到達したときに（ステップＳ１５）、前記射出スクリュ３が設定された回転速度で回転が開始される（ステップＳ１６）。その射出スクリュ３の回転中は、前記圧力センサー１３からの圧力信号ｋにより背圧の実測値がコントローラ１４で監視されており、該背圧の実測値が、前記入力処理手段１５の圧力設定器で設定した背圧設定値に到達するまで射出スクリュ３が回転されて、到達したことが確認されると（ステップＳ１７）、溶融樹脂の計量が正常に行われたものとして計量動作が停止される（ステップＳ６）。
【００２８】
前記実施の形態に係る射出成形機の計量方法によれば、射出スクリュ３を金型に接触させない状態で計量を行う計量方法において、予め、電動射出成形機Ａの可塑化能力にもとづいて定めた射出スクリュ３の設定回転速度に対応する標準後退速度Ｖｒを設定しておき、前記射出スクリュ３を所定の設定回転速度Ｒｓｖで回転させて計量する時に、射出スクリュ３の後退速度をアブソリュートエンコーダ９ａで検出して、その検出値が前記射出スクリュ３の所定の設定回転速度Ｒｓｖに対応する標準後退速度Ｖｒを上まわった場合に、入力処理手段１５の表示器に警告メッセージを発生させると共に計量動作を停止させるようにしたので、樹脂材料が高粘度樹脂であって、射出スクリュ３の設定背圧や加熱筒２の設定温度では、樹脂と加熱筒２の内壁との摩擦が大きい等の要因により、十分に樹脂の可塑化が進まないか可塑化が行われない状態が生じた場合には、その異常状態をいち早く的確に知ることができて事後の対応処理を適切に行うことができると共に、異常状態で計量動作が無理に継続して機械に故障が発生するのを確実に防止することができる。
【００２９】
また、前記射出スクリュ３を所定の設定回転速度Ｒｓｖで回転させて計量する時に、射出スクリュ３の後退速度の検出値が前記射出スクリュ３の所定の設定回転速度Ｒｓｖに対応する標準後退速度Ｖｒを下まわった場合に、前記射出スクリュ３の背圧の設定値を自動的に変更すると共に、その変更回数が予め設定した回数になったとき、計量動作を停止させるようにしたので、溶融樹脂が射出ノズル２ａから外部へ漏れ出てしまう恐れがある低粘度樹脂の場合であっても、適時に射出スクリュ３の背圧設定値を変更することによって、その後退移動を促進させ、射出スクリュ３をその計量完了位置に到達させて溶融樹脂の計量を確実に行わせることができる。また、射出スクリュ３の背圧設定値を繰り返し変更しても、計量が確実に行われない異常状態のときは、不要に計量動作が継続するのを確実に防止することができる。
さらに、前記射出スクリュ３を所定の設定回転速度Ｒｓｖで回転させて計量する時に、射出スクリュ３の後退速度の検出値が前記射出スクリュ３の所定の設定回転速度Ｒｓｖに対応する標準後退速度Ｖｒを下まわった場合に、前記射出スクリュ３を強制的に計量完了位置に後退させた後に、前記射出スクリュ３の背圧を監視しながら射出スクリュ３を回転させ、該背圧が前記設定値になったときに計量動作を停止させるようにすると、加熱筒２の樹脂溜まり部２ｃ内の圧力が減圧され、樹脂溜まり部２ｃ内の溶融樹脂が射出スクリュ３のスクリュヘッド側への流動が促進され、超低粘度樹脂であっても、射出ノズル２ａからの鼻たれ現象を効果的に防止しながら確実に溶融樹脂の計量を行うことができる。
【００３０】
なお、前記実施の形態は、前記加熱筒２内に挿入した射出スクリュ３を、スクリュ回転用電動サーボモータ５で回転させると共に、スクリュ前後進用電動サーボモータ９の回転をねじ軸７にナット６を螺合させたねじ機構８を介して直線運動に変換して前後進移動させ、射出スクリュ３の回転速度、背圧、移動速度、移動位置を、それぞれ、スクリュ回転用電動サーボモータ５のインクレメントエンコーダ５ａ、圧力センサー１３、スクリュ前後進用サーボモータ１９のアブソリュートエンコーダ９ａで検出して射出スクリュ３の動作を制御するようにした電動式射出成形機Ａにおいて本発明に係る計量方法を実施する場合の例であるが、本発明は、これに限らず、前記射出スクリュ３を油圧モータで回転させると共に油圧シリンダで前後進させ、それらを作動させる油圧回路の流量、圧力を調節し、射出スクリュの移動位置を位置センサで直接検出することにより、射出スクリュ３の動作を制御するようにした油圧式射出成形機において実施することもできる。
【００３１】
また、前記実施の形態は、本発明の計量方法を、加熱筒内に可塑化スクリュと射出部材を兼ねた射出スクリュを回転自在にかつ軸方向に前後浸自在に収納した形式のインラインスクリュ式射出成形機において実施する場合の例であるが、本発明は、これに限らず、充填シリンダ内に充填プランジャ（射出部材）が前後進自在に挿入された充填装置と、可塑化加熱筒内に可塑化スクリュを回転自在に挿入された可塑化装置とを備え、可塑化装置の可塑化スクリュを回転させて樹脂材料を可塑化して溶融樹脂を充填シリンダの先端の樹脂溜まり部に供給し、該充填シリンダ内に溶融樹脂を計量し、該計量した溶融樹脂を充填プランジャの前進により金型内へ充填するようにしたプリプラ式射出成形機において実施するようにしてもよい。
【００３２】
【発明の効果】
以上説明したように、本発明によれば以下の優れた効果を奏する。
請求項１に係る射出成形機の計量方法によれば、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を上まわった場合に、警告メッセージの発生および計量動作の停止の少なくとも一方を行うので、樹脂材料が高粘度樹脂であって、射出部材の設定背圧や加熱筒の設定温度では、樹脂と加熱筒の内壁との摩擦が大きい等の要因により、十分に樹脂の可塑化が進まないか可塑化が行われない異常状態が生じた場合、それをいち早く的確に知ることができて事後の対応処理を適切に行うことができると共に、異常状態で計量動作が無理に継続して機械に故障が発生するのを確実に防止することができる。
【００３３】
請求項２に係る射出成形機の計量方法によれば、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材の背圧の設定値を自動的に変更するので、溶融樹脂が射出ノズルから外部へ漏れ出てしまう恐れがある低粘度樹脂の場合であっても、適時に射出部材の背圧設定値を変更することにより、その後退移動を促進させ、射出部材を計量完了位置に到達させて溶融樹脂の計量を確実に行わせることができる。
【００３４】
請求項３に係る射出成形機の計量方法によれば、射出部材の背圧の設定値を変更する変更回数が予め設定した回数になったとき、計量動作を停止させるので、射出部材の背圧設定値を繰り返し変更しても、計量が確実に行われない異常状態のときは、不要に計量動作が継続するのを確実に防止することができる。
【００３５】
請求項４に係る射出成形機の計量方法によれば、予め、射出成形機の可塑化能力にもとづいて定めた可塑化スクリュの設定回転速度に対応する射出部材の標準後退速度を設定しておき、前記可塑化スクリュを所定の設定回転速度で回転させて計量する時に、前記射出部材の後退速度を検出して、その検出値が前記可塑化スクリュの所定の設定回転速度に対応する標準後退速度を下まわった場合に、前記射出部材を強制的に計量完了位置に後退させた後に、前記射出部材の背圧を監視しながら可塑化スクリュを回転させ、該背圧が前記設定値になったときに計量動作を停止させるので、加熱筒の樹脂溜まり部内の圧力が減圧され、樹脂溜まり部内の溶融樹脂が射出部材のヘッド側への流動が促進され、超低粘度樹脂であっても、射出ノズルからの鼻たれ現象を効果的に防止しながら確実に溶融樹脂の計量を行うことができる。
【図面の簡単な説明】
【図１】本発明に係る射出成形機の計量方法を実施する計量装置を示す系統図である。
【図２】同じく作用を説明するフロー図である。
【図３】同じく作用の他の部分を説明するフロー図である。
【符号の説明】
１  計量装置
２  加熱筒
３  射出スクリュ（射出部材、可塑化スクリュ）
５  スクリュ回転用電動サーボモータ（スクリュ回転モータ）
５ａ  インクレメントエンコーダ（回転速度検出手段）
９  スクリュ前後進用電動サーボモータ（射出駆動手段）
９ａ  アブソリュートエンコーダ（位置検出手段）
１０  制御装置
１３  圧力センサー（圧力検出手段）
１４  コントローラ
１５  入力処理手段
１６  スクリュ回転制御駆動装置（スクリュ軸制御駆動装置）
１７  スクリュ前後進駆動制御駆動装置（射出軸制御駆動装置）
Ａ  電動射出成形機（射出成形機）
Ｋ  金型
【図１】
2004188798.tif 000004
【図２】
2004188798.tif 000005
【図３】
2004188798.tif 000006